(57)【特許請求の範囲】
【請求項１】
棒状の支柱と、
前記支柱の一端に着脱可能である環状部材と、
前記環状部材に取り付けられ、網目を有し縦長筒状又は円錐台状である形状を有し、前記支柱を覆う保護ネットと、
前記支柱に嵌合して前記支柱と前記保護ネットを係止する係止部材を備えることを特徴とする苗木等保護具。
【請求項２】
前記支柱の一端が、窪んだ溝を有し、
前記環状部材が、前記溝の幅よりも薄い厚みを有する板状部材から形成され、
前記支柱の前記溝と前記環状部材が嵌合可能であることを特徴とする請求項１に記載の苗木等保護具。
【請求項３】
前記支柱の一端側に貫通する孔を有することを特徴とする請求項１又は請求項２に記載の苗木等保護具。
【請求項４】
前記支柱、前記環状部材、前記保護ネットが、生分解性樹脂を材料として形成されていることを特徴とする請求項１から請求項３のいずれかに記載の苗木等保護具。
【請求項５】
前記保護ネットの下端に取り付けられたリング部材を備えることを特徴とする請求項１から請求項４のいずれかに記載の苗木等保護具。
【請求項６】
中間部位にくさび部を有し、一端側において前記リング部材と係合して地面に埋設される杭を有することを特徴とする請求項５に記載の苗木等保護具。
【発明の詳細な説明】
【技術分野】
【０００１】
本発明は、苗木又は若木などの樹木の苗を野生動物の食害などから保護し、苗木等の成長促進を図る保護具に関する。
【背景技術】
【０００２】
従来、治水又は治山など国土保全のための官公庁等による植林、または、木材生産のための民間企業等による植林において、苗木又は若木などの樹木の苗を、鹿、ウサギ、猪、ネズミ等の野生動物が食し、苗木等の成長が阻害されることを防止するために種々の試みがなされている。
【０００３】
例えば、特許文献１には、棒状の支柱と、苗木等を包囲する筒状で、生分解性繊維等で形成される保護ネットと、それに螺旋状に固定される支持材と、支柱に保護ネットを固定する紐状の留め具などを備える苗木等保護具が開示されている。
【先行技術文献】
【特許文献】
【０００４】
【特許文献１】特開２０１４−１６１３０２
【発明の概要】
【発明が解決しようとする課題】
【０００５】
しかしながら、先行特許文献１に記載の苗木等保護具では、保護ネットの外側に位置する支柱を紐状の留め具で、第一リングと支柱、保護ネットと支柱を固定するときに、手作業のためひとつひとつ取り付ける作業に手間が掛かり、さらに複数の苗木等に取り付けるときにはその手間が顕著な差となってあらわれていた。
【０００６】
そのため、本発明において、苗木又は若木などの樹木の苗が鹿、ウサギ、猪、ネズミ等の野生動物に食されることを防止する苗木等保護具であって、保護ネットと環状部材を支柱に取り付けるときにより簡便に取り付けることができる苗木等保護具を提供することを目的とする。
【課題を解決するための手段】
【０００７】
〔１〕すなわち、本発明は、棒状の支柱と、前記支柱の一端に着脱可能である環状部材と、前記環状部材に取り付けられ、網目を有し縦長筒状又は円錐台状である形状を有し、前記支柱を覆う保護ネットと、前記支柱に嵌合して前記支柱と前記保護ネットを係止する係止部材を備えることを特徴とする苗木等保護具である。
【０００８】
〔２〕そして、前記支柱の一端が、窪んだ溝を有し、前記環状部材が、前記溝の幅よりも薄い厚みを有する板状部材から形成され、前記支柱の前記溝と前記環状部材が嵌合可能であることを特徴とする前記（１）に記載の苗木等保護具である。
【０００９】
〔３〕そして、前記支柱の一端側に貫通する孔を有することを特徴とする前記（１）又は前記（２）に記載の苗木等保護具である。
【００１０】
〔４〕そして、前記支柱、前記環状部材、前記保護ネットが、生分解性樹脂を材料として形成されていることを特徴とする前記（１）から前記（３）のいずれかに記載の苗木等保護具である。
【００１１】
〔５〕そして、前記保護ネットの下端に取り付けられたリング部材を備えることを特徴とする前記（１）から前記（４）のいずれかに記載の苗木等保護具である。
【００１２】
〔６〕中間部位にくさび部を有し、一端側において前記リング部材と係合して地面に  埋設される杭を有することを特徴とする前記（５）に記載の苗木等保護具。
【発明の効果】
【００１３】
本発明の苗木等保護具によれば、苗木又は若木などの樹木の苗が鹿、ウサギ、猪、ネズミ等の野生動物に食されることを防止するために苗木等に設置するときにおいて、保護ネットと環状部材を支柱に取り付けるときにより簡便に取り付けることができ、複数の苗木等に設置するとしても設置に掛かる時間を大幅に短縮することができる。
【図面の簡単な説明】
【００１４】
【図１】本発明の一実施例における苗木等保護具の使用状態での上方から見た斜視図である。
【図２】本発明の一実施例における苗木等保護具のＡ部拡大図である。
【図３】本発明の一実施例における苗木等保護具のＢ部拡大図である。
【発明を実施するための形態】
【００１５】
以下、本発明の苗木等保護具に関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。
【００１６】
図１に、本発明の一実施形態の苗木等保護具を示す説明図であって、苗木に対して設置している使用状態を示す。図２に、図１における上部の拡大図を示す。図３に、図１における下部の拡大図を示す。
【００１７】
苗木等保護具Ｉは、苗木ＩＩの外周を縦長筒状の保護ネット３で覆うことにより、鹿、ウサギ、猪、ネズミ等の野生動物が苗木に触れられないようにして、新芽、葉、樹皮などを食べるそれら野生動物の食害から苗木又は若木などの樹木の苗を保護する装置であり、図１に示すように、棒状の支柱１と、外周を縦長筒状の保護ネット３が取り付けられた環状部材２とが、着脱可能に係合しており、支柱１と保護ネット３を係止する係止部材を備えることを特徴としている。
【００１８】
そして、図１に示すように、保護ネット３の一端側である上部に固定された円環状の環状部材２と保護ネット３の他端側である下部に固定された略円環状のリング部材５とを有し、支柱１が保護ネット３の内側に位置するように設けられており、係止部材４により支柱１と保護ネット３が固定されている。さらに、保護ネット３の中心軸を挟んで支柱１と反対側に、リング部材５を地面に対し固定可能とする突起部６１を有する杭６を有する。
【００１９】
支柱１は、棒状の形状を有する部材である。支柱１は、保護ネット３の中心軸と略平行に、保護ネット３の内周側面に沿って保護ネット３とともに係止部材４により固定され、保護ネット３が安定的に自立することを補助する。図２に示すように、本実施例において、支柱１の一端側である上部には、環状部材２を取り付ける支柱溝１１と、支柱１を貫通する支柱孔１２を有している。具体的には、支柱溝１１は凹状の窪んだ溝を有しており、環状部材２を上方より支柱溝１１に嵌合させて取り付けることができ、また、環状部材２を上方へ持ち上げれば取り外すこともできる。また、支柱１の他端側である下部は、鋭角な形状を有しており地中に埋め込まれ、支柱１が倒れないように固定される。
【００２０】
なお、本実施形態において、環状部材２を取り付けるために、支柱溝１１は凹状の窪んだ形状を有しているが、支柱１と環状部材２との着脱が容易であれば本実施例に限定されるものではなく、他の実施形態において、環状部材２と係合する磁石が支柱１の一端に設けられていてもよく、また、環状部材２に設けられたフックを係合する穴が支柱１の一端に設けられていてもよい。
【００２１】
また、支柱１の高さは、保護ネット３よりも高くするため１９００〜２３００ｍｍであることが好ましい。また、支柱１の材質は、ステンレスなどの金属、ポリプロピレン、ポリ乳酸などの樹脂であることが好ましく、ポリ乳酸などの生分解性樹脂であることがさらに好ましい。生分解性樹脂であると、苗木等の成長により、支柱１を取り外さなくても経時的に分解されるため取り外す手間を省くことができる。
【００２２】
環状部材２は、支柱１の一端に着脱可能である環状の部材である。また、環状部材２は、保護ネット３の一端側である上部に固定され、略円環状を有しており、保護ネット３の一端側を口開きにするための補強部材である。本実施例では、保護ネット３の一端部において、保護ネット３が環状部材２を巻き込み縫合されることにより、環状部材２を固定している。なお、他の実施例において、保護ネット３の一端部と環状部材２とを接着剤、糸、針金などで固定しても良い。
【００２３】
そして、環状部材２は、本実施例において、支柱溝１１より薄い厚みを有する板状部材から形成されている。また、環状部材２の材質としては、ＳＷ−Ｃ(硬鋼線)、ＳＷＰ−Ａ(ピアノ線Ａ種)、ＳＷＰ−Ｂ(ピアノ線Ｂ種)、ＳＵＳ３０４ＷＰＢ(ばね用ステンレス鋼線)などの金属、ＰＰ（ポリプロピレン）、ＡＢＳ（アクリロニトリル−ブタジエン−スチレン共重合体）、ＰＥＴ（ポリエチレンテレフタレート）、ＵＰ（不飽和ポリエステル）、ＰＵＲ（ポリウレタン）、ＰＬＡ（ポリ乳酸）などの樹脂などが好ましく、ポリ乳酸などの生分解性樹脂であることがさらに好ましい。生分解性樹脂であると、苗木等の成長により、環状部材２を取り外さなくても経時的に分解されるため取り外す手間を省くことができる。
【００２４】
なお、本実施形態において、支柱１に取り付けるために、環状部材２は支柱溝１１よりも薄い厚みを有する板状部材から形成されているが、上述したように、支柱１と環状部材２との着脱が容易であれば本実施例に限定されるものではなく、他の実施形態において、支柱１と係合する磁石が環状部材２の一部に設けられていてもよく、また、支柱１の一端に設けられた穴に係合するフックが環状部材２の一部に設けられていてもよい。
【００２５】
保護ネット３は、網目を有する縦長筒状又は円錐台状である形状を有し、苗木ＩＩを野生動物の食害から保護する部材である。保護ネット３の材質は、天然繊維及び人工繊維などから種々選択されるが、その中でもポリ乳酸、ポリカプロラクトン、ポリヒドロキシアルカノエート、ポリグリコール酸、変性ポリビニルアルコール、カゼインなどの生分解性樹脂であることが好ましい。このように、生分解性樹脂を使用することにより、時間の経過により保護ネット３が分解するため、後々人の手で回収する手間を削減することができる。また、保護ネット３の編み方は、本目網、蛙又網、無結節網、ラッセル網、綟子網、織網など種々の編み方から選択されるが、結節部ないためゴミなどが溜まりにくく強度が高いことからラッセル網が好ましい。保護ネット３の網目の大きさは、０．５〜５ｍｍであることが好ましく、２〜４ｍｍであることがさらに好ましいが、日光を遮り過ぎない程度に大きく、野生動物の口が入りにくい程度に狭ければ特に本実施例の数値範囲に限定されるものではない。
【００２６】
また、保護ネット３の大きさは、中心軸方向、すなわち図１における上下方向の高さが１５００〜１９００ｍｍであること、上部及び下部の開口部の径が２３０〜２９０ｍｍであることが好ましい。この大きさであると野生生物の食害が生じない程度に成長するまで苗木ＩＩを保護することができる。
【００２７】
なお、本実施例において、保護ネット３は縦長筒状の形状を有しているが、上部の開口面積より下部の開口面積が広い略円錐台形状であってもよく、逆に、上部の開口面積より下部の開口面積が狭い略円錐台形状であってもよい。支柱１により保護ネット３を支えることができるので、苗木等の種類やそのときの形状に応じて又は成長後の形状を踏まえて、予め適した形状の保護ネット３を選択することができる。
【００２８】
係止部材４は、支柱１と保護ネット３を嵌合して係止する部材である。係止部材４は、本実施例において、断面が略Ｕ字の形状を有し、外面には棒状の弾力性を有する略Ｕ字状のばね部材が取り付けられており、保護ネット３を介して支柱１に嵌合することができる。このように、支柱１と保護ネット３を嵌合して係止すれば、支柱１に対して保護ネット３をワンタッチで固定することができるため、苗木等保護具Ｉを複数設置しなければならないときには掛かる手間を大幅に削減することができる。
【００２９】
また、係止部材４の材質としては、環状部材２と同様に、ＳＷ−Ｃ(硬鋼線)、ＳＷＰ−Ａ(ピアノ線Ａ種)、ＳＷＰ−Ｂ(ピアノ線Ｂ種)、ＳＵＳ３０４ＷＰＢ(ばね用ステンレス鋼線)などの金属、ＰＰ（ポリプロピレン）、ＡＢＳ（アクリロニトリル−ブタジエン−スチレン共重合体）、ＰＥＴ（ポリエチレンテレフタレート）、ＵＰ（不飽和ポリエステル）、ＰＵＲ（ポリウレタン）、ＰＬＡ（ポリ乳酸）などの樹脂などが好ましく、ポリ乳酸などの生分解性樹脂であることがさらに好ましい。生分解性樹脂であると、苗木等の成長により、係止部材４を取り外さなくても経時的に分解されるため取り外す手間を省くことができる。
【００３０】
リング部材５は、保護ネット３の他端部である下部に固定され、略円環状を有しており、保護ネット３の他端部側を口開きにするための補強部材である。本実施例では、保護ネット３の他端部において、保護ネット３がリング部材５を巻き込み縫合されることにより、リング部材５を固定している。なお、他の実施例において、保護ネット３の他端部とリング部材５とを接着剤、糸、針金などで固定しても良い。
【００３１】
そして、リング部材５は、本実施例において、支持材２の他端が加工されることにより略円環状に形成されており支持材２と一体形成されている。また、他の実施例において、リング部材５を支持材２とは別部材とし、溶接、接着剤等によってリング部材５と支持材２とを一体としてもよい。なお、リング部材５を支持材２と別部材とするときにおける材質は、ＳＷ−Ｃ(硬鋼線)、ＳＷＰ−Ａ(ピアノ線Ａ種)、ＳＷＰ−Ｂ(ピアノ線Ｂ種)、ＳＵＳ３０４ＷＰＢ(ばね用ステンレス鋼線)などの金属、ＰＰ（ポリプロピレン）、ＡＢＳ（アクリロニトリル−ブタジエン−スチレン共重合体）、ＰＥＴ（ポリエチレンテレフタレート）、ＵＰ（不飽和ポリエステル）、ＰＵＲ（ポリウレタン）、ＰＬＡ（ポリ乳酸）などの樹脂などが好ましい。生分解性樹脂であると、苗木等の成長により、リング部材５を取り外さなくても経時的に分解されるため取り外す手間を省くことができる。
【００３２】
杭６は、保護ネット３の中心軸を挟んで支柱１と反対側に、リング部材５を地面に対し固定可能とする突起部６１を有しており、保護ネット３がまくりあげられて苗木等が露出しないようにすることを補助する部材である。さらに、図３に示すように、杭６には杭６の鋭角な先端側から突起部６１を有する後端側に向かって開いた平板状のくさび部６２が設けられており、杭６が地面から抜けることを防止している。また、本実施例において、杭６は１本だけ使用しているが、２本以上使用してもよい。
【００３３】
突起部６１は、杭６の鋭角な先端側とは反対の後端側に、リング部材５を通すことができる隙間を有して略コの字状に設けられている。杭６と突起部６１が地中に埋め込まれることにより、杭６と突起部６１との隙間から挿通させたリング部材５を地面に対して固定することができる。なお、本実施例において、突起部６１は略コの字状を有するが、他の実施例において杭６から斜めに棒状に突出する形状を有していてもよく、本実施例と同様にリング部材５を地面に対して固定することができる。
【００３４】
そして、杭６の高さは、支柱１の高さから保護ネット３の高さを差し引いた高さ程度、すなわち、２５０〜３５０ｍｍであることが好ましい。また、杭６の材質は、ステンレスなどの金属、ポリプロピレン、ポリ乳酸などの樹脂であることが好ましくポリ乳酸などの生分解性樹脂であることが好ましい。生分解性樹脂であると、苗木等の成長により、杭６を取り外さなくても経時的に分解されるため取り外す手間を省くことができる。
【符号の説明】
【００３５】
１・・・支柱
１１・・・支柱溝
１２・・・支柱孔
２・・・環状部材
３・・・保護ネット
４・・・係止部材
５・・・リング部材
６・・・杭
６１・・突起部
６２・・くさび部
Ｉ・・・苗木等保護具
ＩＩ・・苗木
【図１】
0006344571.tif 000002
【図２】
0006344571.tif 000003
【図３】
0006344571.tif 000004